(57)【要約】【課題】  フィルタの全面を支える構造にすることで、フィルタ全体に均等に圧力がかかるようにして、空調機へのフィルタの取り付けを容易かつ正確に行う。【解決手段】  空調機に設置したフィルタＦを、所定期間が経過して新たなフィルタＦに交換する際に、フィルタＦと略同大同形状を有する支持板２と、支持板２の裏面２ｂに設けた，作業者が把持するためのグリップ３と、を備えたフィルタ交換用治具１を用いて、この支持板２にフィルタＦを載せて空調機の取付枠Ａに押し付けながら嵌める。【選択図】  図１
2006102610.tif 000002
【特許請求の範囲】
【請求項１】
空調機に設置したフィルタ（Ｆ）を、所定期間が経過して新たなフィルタ（Ｆ）に交換する際に、この新たなフィルタ（Ｆ）を載せて該空調機の取付枠（Ａ）に押し付けながら嵌める作業に用いるフィルタ交換用治具(１)であって、
前記フィルタ（Ｆ）と同大同形状を有する支持板（２）と、
前記支持板（２）の裏面（２ｂ）に設けた，作業者が把持するためのグリップ（３）と、を備えた、ことを特徴とするフィルタ交換用治具。
【請求項２】
前記支持板（２）は、四角形状のフィルタ（Ｆ）の四隅を支持できる程度の大きさになるように板材（４）を四角形状に形成したものであり、
該板材（４）に、ブラケット（５）を介在して棒状のグリップ（３）を架け渡した、ことを特徴とする請求項１のフィルタ交換用治具。
【請求項３】
前記支持板（２）の支持面（２ａ）に、前記フィルタ（Ｆ）を数箇所で支持する支持用針（１１）を突出させた、ことを特徴とする請求項１又は２のフィルタ交換用治具。
【請求項４】
前記支持板（２）の隅部に、前記フィルタ（Ｆ）を下から支持する支持用ガイド（１２）を前記裏面（２ｂ）側から支持面（２ａ）側に前後動自在になるように取り付けた、ことを特徴とする請求項１又は２のフィルタ交換用治具。
【発明の詳細な説明】
【技術分野】
【０００１】
本発明は、ビル、一般産業空調機用フィルタに係り、特に、取り替える新たなフィルタに均等に圧力をかけながら空調機の取付枠に装着することができるフィルタ交換用治具に関するものである。
【背景技術】
【０００２】
一般的に、ビル、一般産業空調機に装着するろ過式フィルタは、大きな粒子の塵埃を捕集するためのプレフィルタと、細かい粒子の塵埃を捕集するメインフィルタとから構成されている。また、メインフィルタのみで塵埃を捕集する構成のもある。
【０００３】
これらのフィルタは、所定期間が経過すると捕集能力が低下するので、新たなものに交換する必要がある。例えば、空調機に設置したメインフィルタは、１〜２年で交換する必要がある。このフィルタを交換するときは、空調機の取付枠にフィルタろ材が密着するように手押しで行っていた。このフィルタを交換するときは、空調機を停止して交換作業を実施しなければならないので、そのフィルタの交換作業は短時間で素早く行う必要がある。
【０００４】
フィルタを素早く交換する技術として、特許文献１の特開２００２−９５９２３「エアフィルタとエアフィルタにおけるフィルタパックの交換方法」に、ジグザグ状に折り畳まれた濾材を間隔保持材を介して所定間隔に保持してなるフィルタパックと、この両側縁及び上下縁に当接させてフィルタパックを気密に囲繞する側枠及び上下枠からなるエアフィルタであって、前記側枠は線シール剤によって前記フィルタパックに固着され、前記上下枠は離型剤を介して面シール剤によって前記フィルタパックに脱離可能に固着されると共に、前記上下枠は前記側枠に固定具で着脱可能に固定されているエアフィルタが提案されている。
【特許文献１】特開２００２−９５９２３
【発明の開示】
【発明が解決しようとする課題】
【０００５】
上記従来の手押しで行うフィルタの交換作業では、空調機の取付枠とフィルタろ材が密着しているために、ろ材の変形や隙間材スポンジの捲くれ等の不具合を生じやすかった。そのために、フィルタの交換作業に長時間を要し、円滑な交換が困難であるという問題を有していた。
【０００６】
また、フィルタの空調機の取付枠への取り付け時に、作業者がフィルタを直接手で持った作業ではフィルタに均等に圧力がかからないために、フィルタを空調機の取付枠に平滑に装着できないという問題を有していた。
【０００７】
本発明は、かかる問題点を解決するために創案されたものである。すなわち、本発明の目的は、フィルタの全面を支える構造を有することで、フィルタ全体に均等に圧力がかかるようにして、空調機の取付枠へのフィルタの取り付けを容易かつ正確に行うことができるフィルタ交換用治具を提供することにある。
【課題を解決するための手段】
【０００８】
本発明によれば、空調機に設置したフィルタ（Ｆ）を、所定期間が経過して新たなフィルタ（Ｆ）に交換する際に、この新たなフィルタ（Ｆ）を載せて該空調機の取付枠（Ａ）に押し付けながら嵌める作業に用いるフィルタ交換用治具(１)であって、前記フィルタ（Ｆ）と同大同形状を有する支持板（２）と、前記支持板（２）の裏面（２ｂ）に設けた，作業者が把持するためのグリップ（３）と、を備えた、ことを特徴とするフィルタ交換用治具が提供される。
前記支持板（２）は、四角形状のフィルタ（Ｆ）の四隅を支持できる程度の大きさになるように板材（４）を四角形状に形成したものであり、該板材（４）に、ブラケット（５）を介在して棒状のグリップ（３）を架け渡したものである。
【０００９】
前記支持板（２）の支持面（２ａ）に、前記フィルタ（Ｆ）を数箇所で支持する支持用針（１１）を突出させることができる。
前記支持板（２）の隅部に、前記フィルタ（Ｆ）を下から支持する支持用ガイド（１２）を前記裏面（２ｂ）側から支持面（２ａ）側に前後動自在になるように取り付けることができる。
【発明の効果】
【００１０】
上記構成の発明では、フィルタ（Ｆ）を交換する際に、フィルタ交換用治具(１)の支持面（２ａ）がこのフィルタ（Ｆ）を「面」で支えるので、フィルタ（Ｆ）に均等に圧力をかけられ、円滑に交換作業を行うことができる。そこで、フィルタ（Ｆ）のろ材の変形や隙間材スポンジが捲くれることがなく、短時間に交換作業を終了させることができる。
【００１１】
また、支持板（２）の支持面（２ａ）に支持用針（１１）を突出させたものは、新たなフィルタ（Ｆ）をこの支持面（２ａ）に確実に仮止めすることができるので、このフィルタ（Ｆ）を位置ずれすることなく、空調機の取付枠（Ａ）に正確に押し付けながら嵌めることができる。
支持板（２）の隅部に、支持用ガイド（１２）を備えたものは、本発明のフィルタ交換用治具（１）を立て掛けたときにも、フィルタ（Ｆ）が落下することなく作業できる。
【発明を実施するための最良の形態】
【００１２】
本発明のフィルタ交換用治具は、フィルタ全体に均等に圧力がかかるようにして、空調機の取付枠への取り付けることができ、フィルタを容易かつ正確に交換することができるように構成したものである。
【実施例１】
【００１３】
以下、本発明の好ましい実施の形態を図面を参照して説明する。
図１は本発明の実施例１のフィルタ交換用治具を示すものであり、（ａ）は正面図、（ｂ）は背面図、（ｃ）は側面図、（ｄ）は平面図である。
実施例１のフィルタ交換用治具１は、横長の大型のフィルタを交換する際に用いるものである。このフィルタ交換用治具１は、フィルタＦの四隅も支えるように形成した略四角形状になる支持板２と、支持板２の裏面２ｂに、２箇所に設けた作業者が把持するためのグリップ３と、を備えたものである。なお、このフィルタＦはメインフィルタについて説明しているが、これがプレフィルタであっても、本発明のフィルタ交換用治具１を用いることができる。
【００１４】
支持板２は、フィルタＦと同大同形状を有する部材で、四角形状のフィルタＦの四隅を支持できる程度の大きさになるように板材４を四角形状に形成したものである。この支持板２の表面側が、フィルタＦを全面で支持する支持面２ａであり、裏面２ｂに板材４にブラケット５を介在して棒状のグリップ３を架け渡してある。支持板２の裏面２ｂに、２本のグリップ３を平行に取り付けてあるが、このような形態に限定されず、略ハ字形状に取り付けることも可能である。また、グリップを略Ｈ形状に形成して作業者が持ちやすい形成することも可能である。
【００１５】
本発明では、細い板材４を四角形状に形成し、フィルタＦと同大同形状の1枚板から成る支持板２で構成しなかったのは、フィルタ交換用治具１自体の軽量化を図るためである。フィルタＦの交換作業に際して、ろ材の変形や隙間材スポンジの捲くれ等の不具合は、フィルタＦの４隅で生じやすい。そこで、この４隅を確実に押さえることができれば、フィルタ交換用治具１として十分機能するからである。但し、補助治具としての強度の低下は、十字形状に架け渡した補強材６で補っている。
【００１６】
図２は実施例１のフィルタ交換用治具を空調機の取付枠に取り付ける状態を示す説明図であり、（ａ）は交換用治具にフィルタを載せる状態、（ｂ）はフィルタごと交換用治具を持ち上げる状態、（ｃ）は空調機にフィルタを嵌め込む状態、（ｄ）は空調機にフィルタを嵌め込んだ状態である。
本発明のフィルタ交換用治具１を用いてフィルタＦを空調機の取付枠Ａに取り付けるときは、先ず、フィルタ交換用治具１にフィルタＦを載せる（図２（ａ）参照）。このときに、フィルタＦの４隅をフィルタ交換用治具１の４隅に正確に合わせて載せる。この状態で位置ずれがあると交換用治具として意味をなさないからである。
次に、フィルタ交換用治具１にフィルタＦを載せた状態で、このフィルタＦがずれないように、フィルタ交換用治具１を持ち上げる（図２（ｂ）参照）。
最後に、空調機の取付枠ＡにフィルタＦを嵌め込む（図２（ｃ）参照）。このとき、フィルタ交換用治具１を空調機の取付枠Ａに押し込むようにしてフィルタＦを嵌め込む。フィルタ交換用治具１の支持面２ａがこのフィルタＦを「面」で支えているので、フィルタＦの全面に均等に圧力をかけられることができる。そこで、フィルタＦのろ材の変形や隙間材スポンジの捲くれといった不具合が生じることなく、フィルタＦの交換作業を終了させることができる（図２（ｄ）参照）。
【実施例２】
【００１７】
図３は本発明の実施例２のフィルタ交換用治具を示すものであり、（ａ）は正面図、（ｂ）は背面図、（ｃ）は側面図、（ｄ）は平面図である。図４は実施例２のフィルタ交換用治具にフィルタを載せた状態を示す側面図である。
実施例２のフィルタ交換用治具１は、縦長のフィルタＦを交換する際に用いるものである。上述した実施例１のフィルタ交換用治具１より寸法的に小型のフィルタＦを取り扱うことができる。実施例２のフィルタ交換用治具１も、基本的な構成は、実施例１のフィルタ交換用治具１と同じで、フィルタＦを支える略四角形状になる支持板２と、支持板２の裏面２ｂに、数箇所に設けた作業者が把持するためのグリップ３と、を備えたものである。
本発明のフィルタ交換用治具１は、この実施例２又は実施例１で説明した形状に限定されず、交換しようとするフィルタＦの形状と大きさによって決定されるものである。なお、この実施例２のフィルタ交換用治具１について、縦横向きを自由に変えて使用できることは勿論である。
【実施例３】
【００１８】
図５はフィルタを支持する支持用針を備えた実施例３のフィルタ交換用治具を示すものであり、（ａ）は側面図、（ｂ）は拡大側面図である。
実施例３のフィルタ交換用治具１は、支持板２の支持面２ａに、フィルタＦを数箇所で支持する支持用針１１を突出させたものである。この複数箇所から突出させた支持用針１１はフィルタＦのろ材に直接刺さるので、新たなフィルタＦを支持面２ａに確実に固定することができる。そこで、このフィルタ交換用治具１を用いれば、フィルタＦを空調機の取付枠Ａに正確に押し付けながら嵌めることができる。その後、フィルタ交換用治具１のみを作業者の方へ引き戻して交換作業を終了させる。
【実施例４】
【００１９】
図６はフィルタを支持する支持用ガイドを備えた実施例４のフィルタ交換用治具を示すものであり、（ａ）は側面図、（ｂ）は拡大側面図である。
実施例４のフィルタ交換用治具１は、支持板２の隅部に、フィルタＦを下から支える支持用ガイド１２を支持板２の裏面２ｂ側から支持面２ａ側に前後動自在になるように取り付けたものである。この支持用ガイド１２は、例えば支持板２の隅部に取り付けたブラケット１３に対して、コイルばね等の弾性部材１４により、支持板２の裏面２ｂ側から支持面２ａ側に常時押圧されたガイド枠１５を前後動自在に取り付けたものである。この支持用ガイド１２により、フィルタ交換用治具１を立て掛けたときにも、フィルタＦが落下せずに作業できる。フィルタ交換用治具１をフィルタＦと共に空調機の取付枠Ａに押し付けていくと、空調機の取付枠Ａに当たったガイド枠１５はその位置のままであるが、フィルタＦは支持板２で押されながら空調機の取付枠Ａ内に移動させられ、フィルタＦの装着が完了する。その後、フィルタ交換用治具１のみを作業者の方へ引き戻して交換作業を終了させる。特に、実施例３のフィルタ交換用治具１と異なり、フィルタＦ自体に孔を開けずに済むことができる。
【００２０】
なお、本発明のフィルタ交換用治具１は、フィルタＦを「面」で支えながら空調機の取付枠Ａに取り付ける構造のものであれば、上述した発明の実施の形態に限定されず、本発明の要旨を逸脱しない範囲で種々変更できることは勿論である。  
【産業上の利用可能性】
【００２１】
本発明のフィルタ交換用治具は、ビル、一般産業空調機の取付枠にフィルタを取り付けるときに利用することができるが、これら以外の機器であってフィルタを備えた機器であれば、そのフィルタの交換の際にも利用することができる。
【図面の簡単な説明】
【００２２】
【図１】本発明の実施例１のフィルタ交換用治具を示すものであり、（ａ）は正面図、（ｂ）は背面図、（ｃ）は側面図、（ｄ）は平面図である。
【図２】実施例１のフィルタ交換用治具を空調機の取付枠に取り付ける状態を示す説明図であり、（ａ）は交換用治具にフィルタを載せる状態、（ｂ）はフィルタごと交換用治具を持ち上げる状態、（ｃ）は空調機にフィルタを嵌め込む状態、（ｄ）は空調機にフィルタを嵌め込んだ状態である。
【図３】本発明の実施例２のフィルタ交換用治具を示すものであり、（ａ）は正面図、（ｂ）は背面図、（ｃ）は側面図、（ｄ）は平面図である。
【図４】実施例２のフィルタ交換用治具にフィルタを載せた状態を示す側面図である。
【図５】フィルタを支持する支持用針を備えた実施例３のフィルタ交換用治具を示すものであり、（ａ）は側面図、（ｂ）は拡大側面図である。
【図６】フィルタを支持する支持用ガイドを備えた実施例４のフィルタ交換用治具を示すものであり、（ａ）は側面図、（ｂ）は拡大側面図である。
【符号の説明】
【００２３】
１  フィルタ交換用治具
２  支持板
２ａ  支持板の支持面
２ｂ  支持板の裏面
３  グリップ
４  板材
５  ブラケット
１１  支持用針
１２  支持用ガイド
Ｆ  フィルタ
Ａ  空調機の取付枠
【図１】
2006102610.tif 000003
【図２】
2006102610.tif 000004
【図３】
2006102610.tif 000005
【図４】
2006102610.tif 000006
【図５】
2006102610.tif 000007
【図６】
2006102610.tif 000008